(57)【要約】【課題】供給される電力の品質に関する情報を容易に把握することができるモニタリングシステム、モニタリング方法およびサーバを提供する。【解決手段】供給される電力に関する電力情報を測定して記憶するとともに電力情報が所定条件を満たした際に検知信号を出力する測定部２０と、通知された検知信号を取得する取得部１２と、取得された検知信号を記憶する記憶部１３と、記憶された検知信号を表示する表示部３１と、表示内容の指示が入力される入力部３２と、取得部１２、記憶部１３、表示部３１、および入力部３２の動作を制御する制御部１１と、が設けられ、制御部１１は、記憶された検知信号の履歴を表示部３１へ表示させ、表示された検知信号のうち、入力部３２により詳細内容の表示を指示する検知信号が選択されると、測定部２０から選択された検知信号に関する詳細内容を取得し、取得した検知信号に関する詳細内容を表示することを特徴とする。【選択図】図１
2016082854.tif 000002
【特許請求の範囲】
【請求項１】
電源から負荷部へ供給される電力に関する電力情報を測定して記憶するとともに、前記電力情報が所定の条件を満たした際に検知信号を出力する測定部と、
前記測定部から通知された前記検知信号を取得する取得部と、
前記取得部により取得された前記検知信号を記憶する記憶部と、
前記記憶部に記憶された前記検知信号の少なくとも一部を表示する表示部と、
前記表示部における表示内容の指示が入力される入力部と、
前記取得部、前記記憶部、前記表示部、および前記入力部の動作を制御する制御部と、
が設けられたモニタリングシステムであって、
前記制御部は、前記記憶部に記憶された前記検知信号の履歴を前記表示部へ表示させ、
表示された前記検知信号のうち、前記入力部により詳細内容の表示を指示する前記検知信号が選択されると、前記取得部に前記測定部から前記選択された検知信号に関する詳細内容を取得させ、
取得した前記選択された検知信号に関する詳細内容を前記表示部に表示させることを特徴とするモニタリングシステム。
【請求項２】
前記所定の条件は、前記電源が連系された系統の電圧が満たす条件であり、
前記電源が連系された系統の電圧が、下側所定電圧を下回った際に、または、上側所定電圧を上回った際に前記検知信号が出力されることを特徴とする請求項１記載のモニタリングシステム。
【請求項３】
前記所定の条件は、前記電源が連系された系統の電圧が満たす条件であり、
前記電源が連系された系統の電圧が下側所定電圧を下回った回数が記憶され、所定期間内に前記下回った回数が増加した際に、または、上側所定電圧を上回った回数が記憶され、所定期間内に前記上回った回数が増加した際に前記検知信号が出力されることを特徴とする請求項１記載のモニタリングシステム。
【請求項４】
前記所定の条件は、前記電源が連系された系統の電圧が満たす条件であり、
所定期間における前記電源が連系された系統の電圧のバラツキ分布において、所定電圧から所定値以上離れた電圧の割合が閾値を超えた際に前記検知信号が出力されることを特徴とする請求項１記載のモニタリングシステム。
【請求項５】
前記所定の条件は、前記電源が連系された系統における周波数が満たす条件であり、
前記電源が連系された系統における周波数が、所定周波数範囲よりも大きくなった際、または、小さくなった際に前記検知信号が出力されることを特徴とする請求項１記載のモニタリングシステム。
【請求項６】
前記所定の条件は、前記電源が連系された系統における周波数が満たす条件であり、
前記電源が連系された系統における周波数が、所定周波数範囲よりも大きくなった回数が記憶され、所定期間内に前記大きくなった回数が増加した際、または、小さくなった回数が記憶され、所定期間内に前記小さくなった回数が増加した際に前記検知信号が出力されることを特徴とする請求項１記載のモニタリングシステム。
【請求項７】
前記所定の条件は、前記電源が連系された系統における周波数が満たす条件であり、
所定期間における前記電源が連系された系統における周波数のバラツキ分布において、所定周波数から所定値以上離れた周波数の割合が閾値を超えた際に前記検知信号が出力されることを特徴とする請求項１記載のモニタリングシステム。
【請求項８】
前記記憶部には、前記検知信号および当該検知信号が取得された時刻情報が紐付けられて記憶され、
前記制御部は、前記詳細内容の表示が指示された検知信号が複数の場合には、それぞれの前記検知信号に紐付けられた前記時刻情報にも基づいて前記検知信号の詳細内容を表示することを特徴とする請求項１から７のいずれか１項に記載のモニタリングシステム。
【請求項９】
電力の充放電が可能な蓄電池における充電状態を検出する検出部が更に設けられ、
前記制御部は、前記電源からの電力供給が停止すると、前記取得部に前記検出部から前記蓄電池における前記充電状態を示す充電情報を取得させ、
前記負荷部における電力の消費量、および、前記充電情報に基づいて、前記蓄電池から前記負荷部へ電力の供給が可能な時間を算出し、算出した時間を前記表示部へ表示させることを特徴とする請求項１から８のいずれか１項に記載のモニタリングシステム。
【請求項１０】
電源から負荷部へ供給される電力に関する電力情報を測定して記憶するとともに、前記電力情報が所定条件を満たした際に検知信号を出力する測定部と、
前記測定部から通知された前記検知信号を取得する取得部と、
前記取得部により取得された前記検知信号を記憶する記憶部と、
前記記憶部に記憶された前記検知信号の少なくとも一部を表示する表示部と、
前記表示部における表示内容の指示が入力される入力部と、
前記取得部、前記記憶部、前記表示部、および前記入力部の動作を制御する制御部と、
が設けられたモニタリングシステムにおけるモニタリング方法であって、
前記測定部が前記検知信号を前記取得部へ通知する通知ステップと、
前記制御部が通知された前記検知信号を前記記憶部に記憶させる記憶ステップと、
前記制御部が前記記憶部に記憶された前記検知信号の履歴を前記表示部に表示させる履歴表示ステップと、
表示された前記検知信号の履歴から詳細内容を表示する前記検知信号を選択する指示が前記入力部へ入力される選択ステップと、
前記制御部が選択された前記検知信号に関する詳細内容を前記測定部から取得させる取得ステップと、
前記制御部が取得した前記詳細内容を前記表示部に表示させる詳細内容表示ステップと、
を有することを特徴とするモニタリング方法。
【請求項１１】
前記通知ステップにおいて、前記所定の条件は、前記電源が連系された系統の電圧が満たす条件であり、
前記電源が連系された系統の電圧が、下側所定電圧を下回った際に、または、上側所定電圧を上回った際に、前記検知信号が出力されることを特徴とする請求項１０記載のモニタリング方法。
【請求項１２】
前記通知ステップにおいて、前記所定の条件は、前記電源が連系された系統の電圧が満たす条件であり、
前記電源が連系された系統の電圧が下側所定電圧を下回った回数が記憶され、所定期間内に前記下回った回数が増加し続けた際に、または、上側所定電圧を上回った回数が記憶され、所定期間内に前記上回った回数が増加し続けた際に前記検知信号が出力されることを特徴とする請求項１０記載のモニタリング方法。
【請求項１３】
前記通知ステップにおいて、前記所定の条件は、前記電源が連系された系統の電圧が満たす条件であり、
所定期間における前記電源が連系された系統の電圧のバラツキ分布において、所定電圧から所定値以上離れた電圧の割合が閾値を超えた際に前記検知信号が出力されることを特徴とする請求項１０記載のモニタリング方法。
【請求項１４】
前記通知ステップにおいて、前記所定の条件は、前記電源が連系された系統における周波数が満たす条件であり、
前記電源が連系された系統における周波数が、所定周波数範囲よりも大きくなった際、または、小さくなった際に前記検知信号が出力されることを特徴とする請求項１０記載のモニタリング方法。
【請求項１５】
前記通知ステップにおいて、前記所定の条件は、前記電源が連系された系統における周波数が満たす条件であり、
前記電源が連系された系統における周波数が、所定周波数範囲よりも大きくなった回数が記憶され、所定期間内に前記大きくなった回数が増加した際、または、小さくなった回数が記憶され、所定期間内に前記小さくなった回数が増加した際に前記検知信号が出力されることを特徴とする請求項１０記載のモニタリング方法。
【請求項１６】
前記通知ステップにおいて、前記所定の条件は、前記電源が連系された系統における周波数が満たす条件であり、
所定期間における前記電源が連系された系統における周波数のバラツキ分布において、所定周波数から所定値以上離れた周波数の割合が閾値を超えた際に前記検知信号が出力されることを特徴とする請求項１０記載のモニタリング方法。
【請求項１７】
前記記憶ステップにおいて、前記検知信号および当該検知信号が取得された時刻情報が前記記憶部に紐付けられて記憶され、
前記選択ステップにおいて、前記詳細内容の表示が指示された検知信号が複数の場合には、
前記取得ステップにおいて、前記詳細内容の表示が指示された検知信号のそれぞれについて前記詳細内容が取得され、
前記詳細内容表示ステップにおいて、それぞれの前記検知信号に紐付けられた前記時刻情報にも基づいて前記検知信号の詳細内容が表示されることを特徴とする請求項１０から１６のいずれか１項に記載のモニタリング方法。
【請求項１８】
電源から負荷部へ供給される電力に関する電力情報を測定して記憶するとともに、前記電力情報が所定条件を満たした際に検知信号を出力する測定部から通知された前記検知信号を取得する取得部と、
前記取得部により取得された前記検知信号を記憶する記憶部と、
記記憶部に記憶された前記検知信号の少なくとも一部を表示部に表示させ、入力部から入力された表示部における表示内容の指示に基づいて、前記取得部の動作および前記表示部における表示を制御する制御部と、
が設けられたサーバであって、
前記制御部は、前記記憶部に記憶された前記検知信号の履歴を前記表示部へ表示させ、
表示された前記検知信号のうち、前記入力部により詳細内容の表示を指示する前記検知信号が選択されると、前記取得部に前記測定部から前記選択された検知信号に関する詳細内容を取得させ、
取得した前記選択された検知信号に関する詳細内容を前記表示部に表示させることを特徴とするサーバ。
【請求項１９】
前記所定の条件は、前記電源が連系された系統の電圧が満たす条件であり、
前記電源が連系された系統の電圧が、下側所定電圧を下回った際に、または、上側所定電圧を上回った際に前記検知信号が出力されることを特徴とする請求項１８記載のサーバ。
【請求項２０】
前記所定の条件は、前記電源が連系された系統の電圧が満たす条件であり、
前記電源が連系された系統の電圧が下側所定電圧を下回った回数が記憶され、所定期間内に前記下回った回数が増加した際に、または、上側所定電圧を上回った回数が記憶され、所定期間内に前記上回った回数が増加した際に前記検知信号が出力されることを特徴とする請求項１８記載のサーバ。
【請求項２１】
前記所定の条件は、前記電源が連系された系統の電圧が満たす条件であり、
所定期間における前記電源が連系された系統の電圧のバラツキ分布において、所定電圧から所定値以上離れた電圧の割合が閾値を超えた際に前記検知信号が出力されることを特徴とする請求項１８記載のサーバ。
【請求項２２】
前記所定の条件は、前記電源が連系された系統における周波数が満たす条件であり、
前記電源が連系された系統における周波数が、所定周波数範囲よりも大きくなった際、または、小さくなった際に前記検知信号が出力されることを特徴とする請求項１８記載のサーバ。
【請求項２３】
前記所定の条件は、前記電源が連系された系統における周波数が満たす条件であり、
前記電源が連系された系統における周波数が、所定周波数範囲よりも大きくなった回数が記憶され、所定期間内に前記大きくなった回数が増加した際、または、小さくなった回数が記憶され、所定期間内に前記小さくなった回数が増加した際に前記検知信号が出力されることを特徴とする請求項１８記載のサーバ。
【請求項２４】
前記所定の条件は、前記電源が連系された系統における周波数が満たす条件であり、
所定期間における前記電源が連系された系統における周波数のバラツキ分布において、所定周波数から所定値以上離れた周波数の割合が閾値を超えた際に前記検知信号が出力されることを特徴とする請求項１８記載のサーバ。
【請求項２５】
前記記憶部には、前記検知信号および当該検知信号が取得された時刻情報が紐付けられて記憶され、
前記制御部は、前記詳細内容の表示が指示された検知信号が複数の場合には、それぞれの前記検知信号に紐付けられた前記時刻情報にも基づいて前記検知信号の詳細内容を表示することを特徴とする請求項１８から２４のいずれか１項に記載のサーバ。
【請求項２６】
前記制御部は、前記電源からの電力供給が停止すると、前記取得部に電力の充放電が可能な蓄電池における充電状態を示す充電情報を取得させ、
前記負荷部における電力の消費量、および、前記充電情報に基づいて、前記蓄電池から前記負荷部へ電力の供給が可能な時間を算出し、算出した時間を前記表示部へ表示させることを特徴とする請求項１８から２５のいずれか１項に記載のサーバ。
【発明の詳細な説明】
【技術分野】
【０００１】
本発明は、モニタリングシステム、モニタリング方法およびサーバに関する。
【背景技術】
【０００２】
各種の再生可能エネルギを利用した分散型電源の導入が促進されることにより、これらの分散型電源の組み合わせや、運転状況や、導入効果を見える化するという要望が高まっている。また、分散型電源の発電量などの計測情報を蓄積し、異常が発生した際に、その発生個所の特定に蓄積した情報を活用したいという要望も高まっている。
【０００３】
従来の送配電系統を監視する技術では、監視制御盤やオペレータコンソールなどのディスプレイ装置に、運転状況や、各種情報などを表示するだけでなく、携帯端末装置などの汎用計算機を用いて監視することも提案されていた（例えば、特許文献１参照。）。
【先行技術文献】
【特許文献】
【０００４】
【特許文献１】特開２００２−０９５１８７号公報
【発明の概要】
【発明が解決しようとする課題】
【０００５】
しかしながら、上述の特許文献１に開示された技術では、外部で作業する作業者が携帯端末装置に表示される系統状態を把握することはできても、分散型電源などが連系された系統の電力の品質に関する情報を容易に把握することは難しいという問題があった。
【０００６】
本発明は、上記の課題を解決するためになされたものであって、供給される電力の品質に関する情報を容易に把握することができるモニタリングシステム、モニタリング方法およびサーバを提供することを目的とする。
【課題を解決するための手段】
【０００７】
上記目的を達成するために、本発明は、以下の手段を提供する。
本発明の第１の態様に係るモニタリングシステムは、電源から負荷部へ供給される電力に関する電力情報を測定して記憶するとともに、前記電力情報が所定条件を満たした際に検知信号を出力する測定部と、前記測定部から通知された前記検知信号を取得する取得部と、前記取得部により取得された前記検知信号を記憶する記憶部と、前記記憶部に記憶された前記検知信号の少なくとも一部を表示する表示部と、前記表示部における表示内容の指示が入力される入力部と、前記取得部、前記記憶部、前記表示部、および前記入力部の動作を制御する制御部と、が設けられたモニタリングシステムであって、前記制御部は、前記記憶部に記憶された前記検知信号の履歴を前記表示部へ表示させ、表示された前記検知信号のうち、前記入力部により詳細内容の表示を指示する前記検知信号が選択されると、前記取得部に前記測定部から前記選択された検知信号に関する詳細内容を取得させ、取得した前記選択された検知信号に関する詳細内容を前記表示部に表示させることを特徴とする。
【０００８】
本発明の第２の態様に係るモニタリング方法は、電源から負荷部へ供給される電力に関する電力情報を測定して記憶するとともに、前記電力情報が所定条件を満たした際に検知信号を出力する測定部と、前記測定部から通知された前記検知信号を取得する取得部と、前記取得部により取得された前記検知信号を記憶する記憶部と、前記記憶部に記憶された前記検知信号の少なくとも一部を表示する表示部と、前記表示部における表示内容の指示が入力される入力部と、前記取得部、前記記憶部、前記表示部、および前記入力部の動作を制御する制御部と、が設けられたモニタリングシステムにおけるモニタリング方法であって、前記測定部が前記検知信号を前記取得部へ通知する通知ステップと、前記制御部が通知された前記検知信号を前記記憶部に記憶させる記憶ステップと、前記制御部が前記記憶部に記憶された前記検知信号の履歴を前記表示部に表示させる履歴表示ステップと、表示された前記検知信号の履歴から詳細内容を表示する前記検知信号を選択する指示が前記入力部へ入力される選択ステップと、前記制御部が選択された前記検知信号に関する詳細内容を前記測定部から取得させる取得ステップと、前記制御部が取得した前記詳細内容を前記表示部に表示させる詳細内容表示ステップと、を有することを特徴とする。
【０００９】
本発明の第３の態様に係るサーバは、電源から負荷部へ供給される電力に関する電力情報を測定して記憶するとともに、前記電力情報が所定条件を満たした際に検知信号を出力する測定部から通知された前記検知信号を取得する取得部と、前記取得部により取得された前記検知信号を記憶する記憶部と、記記憶部に記憶された前記検知信号の少なくとも一部を表示部に表示させ、入力部から入力された表示部における表示内容の指示に基づいて、前記取得部の動作および前記表示部における表示を制御する制御部と、が設けられたサーバであって、前記制御部は、前記記憶部に記憶された前記検知信号の履歴を前記表示部へ表示させ、表示された前記検知信号のうち、前記入力部により詳細内容の表示を指示する前記検知信号が選択されると、前記取得部に前記測定部から前記選択された検知信号に関する詳細内容を取得させ、取得した前記選択された検知信号に関する詳細内容を前記表示部に表示させることを特徴とする。
【００１０】
本発明の第１の態様に係るモニタリングシステム、第２の態様に係るモニタリング方法および第３の態様に係るサーバによれば、表示部に検知信号の履歴を表示させ、選択した検知信号に関する詳細情報を表示部に表示させるため、供給される電力の品質に関する情報を容易に把握することができる。つまり、まず、検知信号の履歴を表示部に表示するため、電力の品質に関する情報の概要を知ることができる。次いで、詳細な内容が知りたい検知信号を選択することにより、当該検知信号の詳細情報が表示部に表示されるため、電力の品質に関する情報の詳細な内容を知ることができる。言い換えると、モニタリングシステムの利用者の要望に応じて、表示部に表示される情報のレベルを容易に選択できるため、供給される電力の品質に関する情報を容易に把握することができる。
【００１１】
上記発明の第１の態様において前記所定の条件は、前記電源が連系された系統の電圧が満たす条件であり、前記電源が連系された系統の電圧が、下側所定電圧を下回った際に、または、上側所定電圧を上回った際に前記検知信号が出力されることが好ましい。
【００１２】
上記発明の第２の態様においては、前記通知ステップにおいて、前記所定の条件は、前記電源が連系された系統の電圧が満たす条件であり、前記電源が連系された系統の電圧が、下側所定電圧を下回った際に、または、上側所定電圧を上回った際に前記検知信号が出力されることが好ましい。
【００１３】
上記発明の第３の態様において前記所定の条件は、前記電源が連系された系統の電圧が満たす条件であり、前記電源が連系された系統の電圧が、下側所定電圧を下回った際に、または、上側所定電圧を上回った際に前記検知信号が出力されることが好ましい。
【００１４】
このように電源が連系された系統の電圧が、下側所定電圧を下回った際に、または、上側所定電圧を上回った際に検知信号を出力することにより、電源が連系された系統の電力の品質が低下した際に検知信号が出力される。さらに、この検知信号の詳細情報を表示させることにより、電圧が下側所定電圧を下回った際、または、上側所定電圧を上回った際の詳細な内容情報を知ることができる。
【００１５】
上記発明の第１の態様において前記所定の条件は、前記電源が連系された系統における周波数が満たす条件であり、前記電源が連系された系統における周波数が、所定周波数範囲よりも大きくなった際、または、小さくなった際に前記検知信号が出力されることが好ましい。
【００１６】
上記発明の第２の態様においては、前記通知ステップにおいて、前記所定の条件は、前記電源が連系された系統における周波数が満たす条件であり、前記電源が連系された系統における周波数が、所定周波数範囲よりも大きくなった際、または、小さくなった際に前記検知信号が出力されることが好ましい。
【００１７】
上記発明の第３の態様において前記所定の条件は、前記電源が連系された系統における周波数が満たす条件であり、前記電源が連系された系統における周波数が、所定周波数範囲よりも大きくなった際、または、小さくなった際に前記検知信号が出力されることが好ましい。
【００１８】
このように電源が連系された系統における周波数が、下側所定周波数を下回った際に、または、上側所定周波数を上回った際にも検知信号が出力されてもよい。さらに、この検知信号の詳細情報を表示させることにより、周波数が下側所定周波数を下回った際、または、上側所定周波数を上回った際の詳細な内容情報を知ることができる。
【００１９】
上記発明の第１の態様において前記所定の条件は、前記電源が連系された系統の電圧が満たす条件であり、前記電源が連系された系統の電圧が下側所定電圧を下回った回数が記憶され、所定期間内に前記下回った回数が増加した際に、または、上側所定電圧を上回った回数が記憶され、所定期間内に前記上回った回数が増加した際に前記検知信号が出力されることが好ましい。
【００２０】
上記発明の第２の態様においては、前記通知ステップにおいて、前記所定の条件は、前記電源が連系された系統の電圧が満たす条件であり、前記電源が連系された系統の電圧が下側所定電圧を下回った回数が記憶され、所定期間内に前記下回った回数が増加し続けた際に、または、上側所定電圧を上回った回数が記憶され、所定期間内に前記上回った回数が増加した際に前記検知信号が出力されることが好ましい。
【００２１】
上記発明の第３の態様において前記所定の条件は、前記電源が連系された系統の電圧が満たす条件であり、前記電源が連系された系統の電圧が下側所定電圧を下回った回数が記憶され、所定期間内に前記下回った回数が増加した際に、または、上側所定電圧を上回った回数が記憶され、所定期間内に前記上回った回数が増加した際に前記検知信号が出力されることが好ましい。
【００２２】
このように電源が連系された系統の電圧が下側所定電圧を下回った回数を記憶し、所定期間内に下回った回数が増加した際に、または、上側所定電圧を上回った回数が記憶され、所定期間内に前記上回った回数が増加した際に検知信号を出力することにより、電圧が下側所定電圧を下回る都度、または、上側所定電圧を上回る都度に検知信号を出力する場合と比較して、検知信号の信頼性向上を図ることができる。つまり、電圧が下側所定電圧を下回る都度、または、上側所定電圧を上回る都度に検知信号を出力する場合には、電源等に故障が発生した可能性が低い場合にも検知信号が出力される場合が存在するが、所定期間内に下回った回数が増加した際、または、上回った回数が増加した際に検知信号を出力することにより、電源等に故障が発生した可能性が高い場合に検知信号を出力することができる。
【００２３】
上記発明の第１の態様において前記所定の条件は、前記電源が連系された系統における周波数が満たす条件であり、前記電源が連系された系統における周波数が、所定周波数範囲よりも大きくなった回数が記憶され、所定期間内に前記大きくなった回数が増加した際、または、小さくなった回数が記憶され、所定期間内に前記小さくなった回数が増加した際に前記検知信号が出力されることが好ましい。
【００２４】
上記発明の第２の態様においては、前記通知ステップにおいて、前記所定の条件は、前記電源が連系された系統における周波数が満たす条件であり、前記電源が連系された系統における周波数が、所定周波数範囲よりも大きくなった回数が記憶され、所定期間内に前記大きくなった回数が増加した際、または、小さくなった回数が記憶され、所定期間内に前記小さくなった回数が増加した際に前記検知信号が出力されることが好ましい。
【００２５】
上記発明の第３の態様において前記所定の条件は、前記電源が連系された系統における周波数が満たす条件であり、前記電源が連系された系統における周波数が、所定周波数範囲よりも大きくなった回数が記憶され、所定期間内に前記大きくなった回数が増加した際、または、小さくなった回数が記憶され、所定期間内に前記小さくなった回数が増加した際に前記検知信号が出力されることが好ましい。
【００２６】
このように電源が連系された系統の周波数が所定周波数範囲よりも大きくなった回数を記憶し、所定期間内に大きくなった回数が増加した際に、または、所定周波数範囲よりも小さくなった回数が記憶され、所定期間内に小さくなった回数が増加した際にも検知信号を出力してもよい。
【００２７】
上記発明の第１の態様において前記所定の条件は、前記電源が連系された系統の電圧が満たす条件であり、所定期間における前記電源が連系された系統の電圧のバラツキ分布において、所定電圧から所定値以上離れた電圧の割合が閾値を超えた際に前記検知信号が出力されることが好ましい。
【００２８】
上記発明の第２の態様においては、前記通知ステップにおいて、前記所定の条件は、前記電源が連系された系統の電圧が満たす条件であり、所定期間における前記電源が連系された系統の電圧のバラツキ分布において、所定電圧から所定値以上離れた電圧の割合が閾値を超えた際に前記検知信号が出力されることが好ましい。
【００２９】
上記発明の第３の態様において前記所定の条件は、前記電源が連系された系統の電圧が満たす条件であり、所定期間における前記電源が連系された系統の電圧のバラツキ分布において、所定電圧から所定値以上離れた電圧の割合が閾値を超えた際に前記検知信号が出力されることが好ましい。
【００３０】
上記発明の第１の態様において前記所定の条件は、前記電源が連系された系統における周波数が満たす条件であり、所定期間における前記電源が連系された系統における周波数のバラツキ分布において、所定周波数から所定値以上離れた周波数の割合が閾値を超えた際に前記検知信号が出力されることが好ましい。
【００３１】
上記発明の第２の態様においては、前記通知ステップにおいて、前記所定の条件は、前記電源が連系された系統における周波数が満たす条件であり、所定期間における前記電源が連系された系統における周波数のバラツキ分布において、所定周波数から所定値以上離れた周波数の割合が閾値を超えた際に前記検知信号が出力されることが好ましい。
【００３２】
上記発明の第３の態様において前記所定の条件は、前記電源が連系された系統における周波数が満たす条件であり、所定期間における前記電源が連系された系統における周波数のバラツキ分布において、所定周波数から所定値以上離れた周波数の割合が閾値を超えた際に前記検知信号が出力されることが好ましい。
【００３３】
このように電源が連系された系統の電圧または周波数のバラツキ分布において、所定電圧または所定周波数から所定値以上離れた電圧または周波数の割合が閾値を超えた際に検知信号を出力することにより、電圧が所定電圧または周波数が所定周波数を下回る都度に検知信号を出力する場合と比較して、検知信号の信頼性向上を図ることができる。つまり、電圧が所定電圧または周波数が所定周波数を下回る都度に検知信号を出力する場合には、電源等に故障が発生した可能性が低い場合にも検知信号が出力される場合が存在するが、電圧のバラツキ分布において、所定電圧または所定周波数から所定値以上離れた電圧または周波数の割合が閾値を超えた際に検知信号を出力することにより、電源等に故障が発生した可能性が高い場合に検知信号を出力することができる。
【００３４】
上記発明の第１の態様において前記記憶部には、前記検知信号および当該検知信号が取得された時刻情報が紐付けられて記憶され、前記制御部は、前記詳細内容の表示が指示された検知信号が複数の場合には、それぞれの前記検知信号に紐付けられた前記時刻情報にも基づいて前記検知信号の詳細内容を表示することが好ましい。
【００３５】
上記発明の第２の態様においては、前記記憶ステップにおいて、前記検知信号および当該検知信号が取得された時刻情報が前記記憶部に紐付けられて記憶され、前記選択ステップにおいて、前記詳細内容の表示が指示された検知信号が複数の場合には、前記取得ステップにおいて、前記詳細内容の表示が指示された検知信号のそれぞれについて前記詳細内容が取得され、前記詳細内容表示ステップにおいて、それぞれの前記検知信号に紐付けられた前記時刻情報にも基づいて前記検知信号の詳細内容が表示されることが好ましい。
【００３６】
上記発明の第３の態様において前記記憶部には、前記検知信号および当該検知信号が取得された時刻情報が紐付けられて記憶され、前記制御部は、前記詳細内容の表示が指示された検知信号が複数の場合には、それぞれの前記検知信号に紐付けられた前記時刻情報にも基づいて前記検知信号の詳細内容を表示することが好ましい。
【００３７】
このように複数の検知信号に関連する詳細内容を表示する際に、当該検知信号に紐付けされた時刻情報にも基づいて詳細内容を表示することにより、詳細内容が、時刻の経過に伴い同様に変化したか容易に把握することができる。
【００３８】
上記発明の第１の態様においては、電力の充放電が可能な蓄電池における充電状態を検出する検出部が更に設けられ、前記制御部は、前記電源からの電力供給が停止すると、前記取得部に前記検出部から前記蓄電池における前記充電状態を示す充電情報を取得させ、前記負荷部における電力の消費量、および、前記充電情報に基づいて、前記蓄電池から前記負荷部へ電力の供給が可能な時間を算出し、算出した時間を前記表示部へ表示させることが好ましい。
【００３９】
上記発明の第３の態様において前記制御部は、前記電源からの電力供給が停止すると、前記取得部に電力の充放電が可能な蓄電池における充電状態を示す充電情報を取得させ、前記負荷部における電力の消費量、および、前記充電情報に基づいて、前記蓄電池から前記負荷部へ電力の供給が可能な時間を算出し、算出した時間を前記表示部へ表示させることが好ましい。
【００４０】
このように電源からの電力供給が停止した際に、蓄電池から負荷部へ電力の供給が可能な時間を算出して表示することにより、負荷部に電力が供給される残り時間の把握が容易となり、停電の復旧作業などの対応作業を行いやすくなる。
【発明の効果】
【００４１】
本発明のモニタリングシステム、モニタリング方法およびサーバによれば、表示部に検知信号の履歴を表示させて、検知信号の履歴から選択した検知信号に関する詳細情報を表示部に表示させるため、供給される電力の品質に関する情報を容易に把握することができるという効果を奏する。
【図面の簡単な説明】
【００４２】
【図１】本発明の一実施形態に係るモニタリングシステムの概略構成を説明する模式図である。
【図２】図１のモニタリングシステムにおけるモニタリング方法の概要を説明するフローチャートである。
【図３】図２のモニタリング方法を説明する図である。
【図４】図４（ａ）は、センサ部で測定された電圧の一例を説明するグラフであり、図４（ｂ）は、比較に用いられる所定電圧について説明するグラフである。
【図５】図５（ａ）は、表示部に表示される画像を説明する図であり、図５（ｂ）は、検知信号の履歴を表示する画像を説明する図である。
【図６】センサ部が測定した電圧値の時間変化を示すグラフである。
【図７】図７（ａ）は複数の検知信号の詳細内容を表示する一例を示す模式図であり、図７（ｂ）は他の例を示す模式図である。
【図８】図８（ａ）は平均の消費電力の求め方を説明するグラフであり、図８（ｂ）は蓄電池から電力を供給できる時間の求め方を説明するグラフである。
【図９】図９（ａ）はセンサ部から検知信号する際の演算処理の別の例を説明するグラフである。図９（ｂ）はセンサ部から検知信号する際の演算処理の更に別の例を説明するグラフである。図９（ｃ）はセンサ部から検知信号する際の演算処理の更に別の例を説明するグラフである。
【発明を実施するための形態】
【００４３】
この発明の一実施形態に係るモニタリングシステムについて、図１から図１０を参照しながら説明する。本実施形態では、モニタリングシステム１を、再生可能エネルギを利用して発電を行う分散発電設備である太陽光発電設備（電源）５０（以下「ＰＶ設備５０」と表記する。）が連系された系統の電力の需給管理を行う需給管理装置４１に用いられるシステムの例に適用して説明する。なお、需給管理装置４１の構成としては公知の構成を用いることができ、特にその形式や構成等を限定するものではない。
【００４４】
需給管理装置４１には、図１に示すように、系統電力（電源）４３から商用電力が供給されると共に、需給管理装置４１から交流負荷設備（負荷部）５５Ａに交流電力が供給されている。需給管理装置４１と負荷設備５５との間には、交流負荷設備５５Ａへ交流電力が供給可能となるように交流ＰＶ設備（電源）５０Ａが配置されている。
【００４５】
需給管理装置４１には、リチウムイオン電池等の蓄電池４２が接続され、需給管理装置４１および蓄電池４２の少なくとも一方から直流負荷設備（負荷部）５５Ｄに直流電力が供給されている。需給管理装置４１および蓄電池４２と、直流負荷設備５５Ｄとの間には、直流負荷設備５５Ｄへ直流電力が供給可能となるように直流ＰＶ設備（電源）５０Ｄが配置されている。
【００４６】
ここで、交流ＰＶ設備５０Ａには、太陽光を受けて発電を行う太陽光発電パネル５１と、発電された交流電力を交流負荷設備５５Ａで利用可能な態様に変換する交流用パワーコンディショナ５２Ａ（以下「交流用ＰＣＳ５２Ａ」と表記する。）と、が主に設けられている。同様に、直流ＰＶ設備５０Ｄには、太陽光発電パネル５１と、発電された電力を直流負荷設備５５Ｄで利用可能な態様に変換する直流用パワーコンディショナ５２Ｄ（以下「直流用ＰＣＳ５２Ｄ」と表記する。）と、が主に設けられている。
【００４７】
モニタリングシステム１は、サーバ１０と、センサ部２０と、モニタ部３０と、から主に構成されている。
サーバ１０は、インターネットなどの情報通信網４５を介して、需給管理装置４１や、交流用ＰＣＳ５２Ａや、直流用ＰＣＳ５２Ｄや、センサ部２０や、モニタ部３０や、交流負荷設備５５Ａや、直流負荷設備５５Ｄとの間で情報通信が可能に接続されたものである。本実施形態では、需給管理装置４１、交流用ＰＣＳ５２Ａ、直流用ＰＣＳ５２Ｄ、交流負荷設備５５Ａおよび直流負荷設備５５Ｄと、情報通信網４５との間に両者を接続するためのゲートウェイ部４６（以下「ＧＷ部４６」とも表記する。）が配置されている例に適用して説明する。
【００４８】
なお、情報通信網４５としては、上述のようにインターネットであってもよいし、イントラネットであってもよいし、モニタリングシステム１の専用情報通信回線であってもよく、公知のコンピュータネットワークを用いることができる。
【００４９】
またサーバ１０は、ＣＰＵ（中央演算処理ユニット）、ＲＯＭ、ＲＡＭ、ハードディスク、入出力インタフェース等を有するコンピュータシステムである。ＲＯＭ等に記憶されている制御プログラムは、ＣＰＵを制御部１１として機能させるものであり、入出力インタフェース等を取得部１２として機能させるものであり、ハードディスク等を記憶部１３として機能させるものである。
【００５０】
取得部１２は、情報通信網４５を介して、需給管理装置４１、交流用ＰＣＳ５２Ａ、直流用ＰＣＳ５２Ｄ、センサ部２０、モニタ部３０、交流負荷設備５５Ａおよび直流負荷設備５５Ｄから出力される信号を取得するものである。また、需給管理装置（検出部）４１を介して蓄電池４２の充電状態を示す信号を取得するものでもある。その一方で、取得部１２は、サーバ１０から需給管理装置４１、交流用ＰＣＳ５２Ａ、直流用ＰＣＳ５２Ｄ、センサ部２０、モニタ部３０、交流負荷設備５５Ａおよび直流負荷設備５５Ｄに向けて制御信号等を出力するものでもある。
【００５１】
記憶部１３は、需給管理装置４１、交流用ＰＣＳ５２Ａ、直流用ＰＣＳ５２Ｄ、センサ部２０、交流負荷設備５５Ａおよび直流負荷設備５５Ｄなどから出力された信号などの情報を記憶するものである。
【００５２】
制御部１１は、取得部１２による信号の取得や制御信号等の出力の制御、記憶部１３への情報の書き込みおよび読み出しの制御、表示部３１における表示の制御等を行うものである。制御部１１による制御の詳細については後述する。
【００５３】
センサ部２０は、需給管理装置４１の入力側の電力の電圧（電力情報）や、需給管理装置４１の出力側の電力の電圧（電力情報）を測定するものである。センサ部２０は、測定した電圧の値を測定時刻と紐付けて記憶するとともに、測定した電圧と予め定められた下側所定電圧（所定条件）とを比較し、測定した電圧が下側所定電圧以下となる条件を満たした場合、時刻と紐付けされた検知信号をサーバ１０に出力するものである。なお、上述の下側所定電圧の詳細については後述する。
【００５４】
モニタ部３０は、交流負荷設備５５Ａや直流負荷設備５５Ｄの利用者等に、系統電力４３からの商用電力の供給状況や、交流ＰＶ設備５０Ａおよび直流ＰＶ設備５０Ｄからの電力供給状況を表示するものである。
【００５５】
モニタ部３０には、表示画面である表示部３１と、表示部３１における表示内容の指示が入力される入力部３２と、が主に設けられている。なお、表示部３１および入力部３２は、別々の装置であってもよいし、タッチパネルディスプレイのように一体の装置であってもよく、特に限定するものではない。
【００５６】
なお、上述の実施形態では、制御部１１をサーバ１０に設ける例に適用して説明したが、モニタ部３０に制御部１１が設けられていてもよいし、その他の装置に設けられていてもよく、その設けられる位置を限定するものではない。また、サーバ１０の機能をＧＷ部４６に設けてもよく、サーバ１０の機能を持たせる位置を限定するものではない。
【００５７】
次に、上記の構成からなるモニタリングシステム１におけるモニタリング方法について、図２から図７を参照しながら説明する。
モニタリングシステム１によるモニタリングが開始されると、図２および図３に示すように、センサ部２０による需給管理装置４１の入力側および出力側の電力の電圧を測定が行われる。センサ部２０は、測定した電圧の値を測定時刻と紐付けて記憶する。これと同時に、測定した電圧と予め定められた下側所定電圧とを比較し、測定した電圧が下側所定電圧以下となる条件を満たした場合、時刻と紐付けされた検知信号をサーバ１０に通知する（Ｓ１０：通知ステップ）。ここで、検知信号は、測定した電圧が下側所定電圧以下となる条件を満たしたことを示す信号であり、その際の電圧の変動を示すものではない。また、検知信号は、記憶部１３に記憶された対応する電圧の値の時間変化のデータと紐付けされたものでもある。
【００５８】
なお、検知信号をサーバ１０に通知する際に用いられるプロトコルとしては周知のものを用いることができ、本実施形態ではＳＮＭＰ（Ｓｉｍｐｌｅ  Ｎｅｔｗｏｒｋ  Ｍａｎａｇｅｍｅｎｔ  Ｐｒｏｔｃｏｌ）を用いる例に適用して説明する。
【００５９】
ここで、検知信号の通知に際して行われる測定した電圧と予め定められた下側所定電圧とを比較について図４（ａ）および図４（ｂ）を参照しながら説明する。
需給管理装置４１などと連系された系統の電力に品質の低下が無い場合、電圧は図４（ａ）の符号Ｎが付されたグラフで示すように、時間が経過してもその値が大きく変動することはない。これに対して、上記の電力に品質の低下が生じた場合、電圧は図４（ｂ）の符号Ｅが付されたグラフで示すように、電圧の値が大きく低下する時間帯が発生する。
【００６０】
そして、電力の品質が低下した際の電圧の低下幅（Ｖ）と、電圧が所定の閾値（所定電圧）を下回る状態が継続した時間（Ｔ）との関係において、測定した電圧が図４（ｂ）に示すＮＧ領域に入る場合には、時刻と紐付けされた検知信号が通知される。その一方で、測定した電圧がＯＫ領域に入る場合には、検知信号は通知されない。
【００６１】
なお、本実施形態では、ＯＫ領域とＮＧ領域の境界線が、グラフの左下から右上に向かって階段状に延びる例に適用して説明しているが、当該境界線は、交流負荷設備５５Ａや直流負荷設備５５Ｄが許容できる範囲にも依存しているため、特に限定するものではない。
【００６２】
図２および図３に戻り、検知信号が通知されたサーバ１０では、取得部１２により検知信号を取得する。取得された検知信号は、記憶部１３に記憶される（Ｓ２０：記憶ステップ）。本実施形態では、記憶部１３にデータベースが構築されており、取得された検知信号が当該データベースに登録される例に適用して説明する。
【００６３】
その一方で、モニタ部３０の表示部３１には、図５（ａ）に示すように、系統電力４３からの商用電力の供給状況や、交流ＰＶ設備５０Ａおよび直流ＰＶ設備５０Ｄからの電力供給状況や、蓄電池４２からの電力供給状況や、交流負荷設備５５Ａおよび直流負荷設備５５Ｄへの電力供給状況である電力フローモニタが表示されている。
【００６４】
モニタ部３０の表示部３１における表示をイベントモニタに切り替える指示が入力部３２に入力されると、表示部３１における表示は図５（ｂ）に示す通りとなる。つまり、入力部３２に表示をイベントモニタに切り替える指示が入力されると、図２に示すように、制御部１１は記憶部１３に記憶された検知信号を取得し、取得した検知信号の履歴を表示部３１に表示させる制御を行う（Ｓ３０：履歴表示ステップ）。
【００６５】
その後、検知信号の履歴が表示部３１に表示された状態で、詳細内容を知りたい検知信号を選択する指示が入力部３２により入力される（Ｓ４０：選択ステップ）。ここで、詳細内容を知りたい検知信号の選択は、一つの検知信号であってもよいし、複数の検知信号であってもよい。
【００６６】
検知信号の選択方法としては、例えば、表示部３１が入力部３２と一体となったタッチパネルディスプレイの場合には、選択する検知信号が表示されている欄や、当該検知信号に対応するボタン表示を触ることにより選択指示が入力される。または、入力部３２がマウスの場合には、選択する検知信号が表示されている欄や、当該検知信号に対応するボタン表示をクリックすることにより選択指示が入力される。
【００６７】
選択指示が入力されると、制御部１１は取得部１２に対して、選択された検知信号に対応するセンサ部２０から選択された検知信号の詳細内容を表す情報を取得する制御信号を出力する（Ｓ５０：取得ステップ）。ここで、検知信号の詳細内容としては、図６に示すような、センサ部２０が測定した電圧値の時間変化を示す情報などを例示することができる。
【００６８】
選択された検知信号の詳細内容が取得されると、制御部１１は、表示部３１に取得した詳細内容を表示させる制御を行う（Ｓ６０：詳細内容表示ステップ）。選択された検知信号が一つの場合には、図６に示すように、選択された検知信号の詳細内容が表示部３１に表示される。
【００６９】
選択された検知信号が複数の場合には、単に、これらの検知信号の詳細内容、および、これら検知信号に紐付けされた測定時刻が表示部３１に並んで表示されてもよいし、図７（ａ）に示すように表示されてもよい。つまり、横方向に延びる時間軸と、選択された複数の検知信号に対応する図形（本実施形態では下向き三角）とが表示部３１に表示される。これら図形は、選択された検知信号に紐付けされた測定時刻に対応する時間軸上の位置に表示される。
【００７０】
選択された検知信号の詳細内容は、図７（ａ）に示すように、上記の図形と点線矢印で繋がれた位置に表示されてもよい。その他に、複数の上記図形のいずれかを入力部３２を用いて選択することにより、対応する詳細内容が表示部３１に表示されるようにしてもよい。
【００７１】
その他に、図７（ｂ）に示すように、複数の検知信号の詳細内容を表示部３１に表示してもよい。つまり、選択された検知信号の詳細内容を、紐付けされた測定時刻の順に次々と表示部３１に表示してもよい。この際、詳細内容の表示を切り替えるタイミングは、紐付けされた測定時刻に基づいて制御されてもよい。例えば、時間的に隣り合う表示内容に紐付けされた測定時刻が比較的近い場合には、紐付けされた測定時刻が比較的離れた場合と比較して、表示を切り替えるタイミングが早くなるようにしてもよい。
【００７２】
次に、本実施形態のモニタリングシステム１を用いている需給管理装置４１への商用電力の供給が停電した場合の制御について、図８などを参照しながら説明する。商用電力の停電は、図２に示すように需給管理装置４１により検知され、サーバ１０の制御部１１に通知される。
【００７３】
制御部１１は、取得部１２を介して需給管理装置４１から蓄電池４２における充電状態を示す充電情報（ＳＯＣ）を取得する処理を行う。制御部１１はＳＯＣの値を取得すると、直近の交流負荷設備５５Ａや直流負荷設備５５Ｄにおける消費電力を求め、蓄電池４２から電力を供給できる時間である給電可能時間を算出する処理を行う。
【００７４】
ここで、直近の交流負荷設備５５Ａや直流負荷設備５５Ｄにおける消費電力としては、給電可能時間を算出する時点における消費電力であってもよいし、図８（ａ）に示すように、給電可能時間を算出する時点から過去へ所定時間だけ遡った期間における平均の消費電力（ＸｋＷ）であってもよい。
【００７５】
また、蓄電池４２から電力を供給できる時間は、図８（ｂ）に示すように、停電が発生した時点のＳＯＣの値から、蓄電池４２におけるＳＯＣの下限に達するまでの時間Ｔとして求められる。給電可能時間が算出されると制御部１１は、算出した給電可能時間を表示部３１に出力する処理を行う。
【００７６】
このようにすることで、系統電力４３からの電力供給が停止した際に、蓄電池４２から交流負荷設備５５Ａや直流負荷設備５５Ｄへ電力の供給が可能な時間を算出して表示することにより、交流負荷設備５５Ａや直流負荷設備５５Ｄに電力が供給される残り時間の把握が容易となり、停電の復旧作業などの対応作業を行いやすくなる。
【００７７】
上記の構成のモニタリングシステム１によれば、表示部３１に検知信号の履歴を表示させ、選択した検知信号に関する詳細情報を表示部に表示させるため、供給される電力の品質に関する情報を容易に把握することができる。つまり、まず、検知信号の履歴を表示部３１に表示するため、電力の品質に関する情報の概要を知ることができる。次いで、詳細な内容が知りたい検知信号を選択することにより、当該検知信号の詳細情報が表示部３１に表示されるため、電力の品質に関する情報の詳細な内容を知ることができる。言い換えると、モニタリングシステム１の利用者の要望に応じて、表示部３１に表示される情報のレベルを容易に選択できるため、供給される電力の品質に関する情報を容易に把握することができる。
【００７８】
交流ＰＶ設備５０Ａや直流ＰＶ設備５０Ｄが連系された系統の電圧が所定の閾値を下回った際に、センサ部２０から検知信号が出力されるため、交流ＰＶ設備５０Ａや直流ＰＶ設備５０Ｄが連系された系統の電力の品質が低下した際に検知信号が出力される。さらに、この検知信号の詳細情報を表示させることにより、電圧が所定の閾値を下回った際の詳細な内容情報を知ることができる。
【００７９】
複数の検知信号に関連する詳細内容を表示する際に、当該検知信号に紐付けされた時刻情報にも基づいて詳細内容を表示することにより、詳細内容が、時刻の経過に伴い同様に変化したか容易に把握することができる。
【００８０】
なお、上述の実施形態のように、交流ＰＶ設備５０Ａや直流ＰＶ設備５０Ｄが連系された系統の電圧が所定の閾値を下回った際に、センサ部２０から検知信号を出力してもよいし、図９（ａ）に示すように、電圧が所定の閾値を下回った回数を記憶し、所定の期間内に閾値を下回った回数が所定の閾値を超えた場合に、センサ部２０から検知信号を出力してもよい。
【００８１】
その他にも、図９（ｂ）に示すように、電圧が所定の閾値を下回った回数を記憶し、所定の期間内に閾値を下回った回数が増加傾向にある場合に、センサ部２０から検知信号を出力してもよい。
【００８２】
このようにすることにより、電圧が所定の閾値を下回る都度に検知信号を出力する場合と比較して、検知信号の信頼性向上を図ることができる。つまり、電圧が所定の閾値を下回る都度に検知信号を出力する場合には、電源等に故障が発生した可能性が低い場合にも検知信号が出力される場合が存在するが、所定期間内に下回った回数が閾値を超えたり、増加したりした際に検知信号を出力することにより、電源等に故障が発生した可能性が高い場合に検知信号を出力することができる。
【００８３】
更には、図９（ｃ）に示すように、交流ＰＶ設備５０Ａや直流ＰＶ設備５０Ｄが連系された系統の電圧のバラツキ分布において、所定電圧から所定値以上離れた電圧の割合が閾値を超えた際にセンサ部２０から検知信号を出力してもよい。例えば、電圧のバラツキ分布が正規分布に従うと仮定し、上述の所定電圧は、交流ＰＶ設備５０Ａや直流ＰＶ設備５０Ｄが連系された系統の電圧の目標値であり、かつ、正規分布における平均値と対応する。そして、上述の所定値は、正規分布における平均値からのずれ（偏差）と対応し、上述の閾値は、電源等に故障が発生した可能性とも関連する値となる。
【００８４】
このようにすることにより、電圧が所定の閾値を下回る都度に検知信号を出力する場合と比較して、検知信号の信頼性向上を図ることができる。つまり、電圧が所定の閾値を下回る都度に検知信号を出力する場合には、電源等に故障が発生した可能性が低い場合にも検知信号が出力される場合が存在するが、電圧のバラツキ分布において、所定電圧から所定値以上離れた電圧の割合が閾値を超えた際に検知信号を出力することにより、電源等に故障が発生した可能性が高い場合に検知信号を出力することができる。
【００８５】
なお、上述の実施形態では、需給管理装置４１などが連系された系統の電圧が所定の閾値を下回った際に検知信号を出力する例に適用して説明したが、その他に、上述の電圧が所定の閾値、または所定の閾値と異なる他の閾値を上回った際に検知信号を出力してもよく、特に限定するものではない。
【００８６】
さらに、需給管理装置４１などが連系された系統の電圧の代わりに、需給管理装置４１などが連系された系統における周波数に基づいて上述の制御を行ってもよく、特に検出する対象を限定するものではない。
【００８７】
なお、本発明の技術範囲は上記実施形態に限定されるものではなく、本発明の趣旨を逸脱しない範囲において種々の変更を加えることが可能である。例えば、上記の実施の形態においては、再生可能エネルギを利用した分散発電設備がＰＶ設備であるものに適用して説明したが、分散発電設備はＰＶ設備に限られるものではなく、風力発電設備、その他各種の分散発電設備に適用することができるものである。
【符号の説明】
【００８８】
１…モニタリングシステム、１０…サーバ、１１…制御部、１２…取得部、１３…記憶部、２０…センサ部（測定部）、３１…表示部、３２…入力部、４１…需給管理装置（検出部）、４２…蓄電池、４３…系統電力（電源）、５０…太陽光発電設備（電源）、５０Ａ…交流ＰＶ設備（電源）、５０Ｄ…直流ＰＶ設備（電源）、５５Ａ…交流負荷設備（負荷部）、５５Ｄ…直流負荷設備（負荷部）、Ｓ１０…通知ステップ、Ｓ２０…記憶ステップ、Ｓ３０…履歴表示ステップ、Ｓ４０…選択ステップ、Ｓ５０…取得ステップ、Ｓ６０…詳細内容表示ステップ
【図１】
2016082854.tif 000003
【図２】
2016082854.tif 000004
【図３】
2016082854.tif 000005
【図４】
2016082854.tif 000006
【図５】
2016082854.tif 000007
【図６】
2016082854.tif 000008
【図７】
2016082854.tif 000009
【図８】
2016082854.tif 000010
【図９】
2016082854.tif 000011